(57)【要約】【課題】チャイルドプルーフ機能がより有効に発揮され、また開封方法を知る者には簡単に蓋体を開くことが可能な、新たな抽出キャップを提案する。【解決手段】本発明の抽出キャップは、容器４０に取り付けられるキャップ本体１０と、キャップ本体１０に着脱可能に装着される蓋体２０と、蓋体２０の外周壁２３を覆い隠す上位置と外周壁２３が露出する下位置との間でキャップ本体１０に移動可能に設けられるスライド部材３０とを備え、スライド部材３０は、内側に向けて突出する突起３２と、内側に向けて押圧することでスライド部材３０を撓ませて突起３２を外側に向けて移動させる押圧部３３とを備え、突起３２は、係合部１７に係合してスライド部材３０を上位置において保持する一方、押圧部３３を押圧した際は係合部１７から外れてスライド部材３０の下方への移動を許容するものである。【選択図】図１
2018140781.tif 000002
【特許請求の範囲】
【請求項１】
内容物を収容する容器の口部に取り付けられるとともに内容物の抽出口を有するキャップ本体と、
前記キャップ本体に着脱可能に装着され、装着時は前記抽出口を覆い隠す蓋体と、
リング状をなし、前記蓋体の外周壁を覆い隠す上位置と該外周壁が露出する下位置との間で前記キャップ本体に移動可能に設けられるスライド部材と、を備える抽出キャップであって、
前記スライド部材は、内側に向けて突出する突起と、内側に向けて該スライド部材を押圧することで該スライド部材を撓ませて該突起を外側に向けて移動させる押圧部とを備え、
前記突起は、前記キャップ本体に設けた係合部に係合して前記スライド部材を前記上位置において保持する一方、前記押圧部を押圧した際は該係合部から外れて該スライド部材の下方への移動を許容するものである抽出キャップ。
【請求項２】
前記キャップ本体は、打栓によって前記容器に取り付けられる打栓タイプである請求項１に記載の抽出キャップ。
【請求項３】
前記キャップ本体は、前記突起の側方に位置し、前記スライド部材を上下動させる際に該突起をガイドする側壁を有する請求項１又は２に記載の抽出キャップ。
【請求項４】
前記押圧部は、対向配置で前記スライド部材に少なくとも一対設けられ、前記突起は、該押圧部が対向する向きと直交する向きにおいて対向配置で少なくとも一対設けられる請求項１〜３の何れか一項に記載の抽出キャップ。
【請求項５】
前記蓋体は、前記キャップ本体との間をつないで該蓋体を該キャップ本体に揺動可能に保持するヒンジと、前記外周壁の上端において外側に向けて突出し、前記上位置において前記スライド部材の周壁に揃う鍔部とを有する請求項１〜４の何れか一項に記載の抽出キャップ。
【発明の詳細な説明】
【技術分野】
【０００１】
本発明は、内容物を収容する容器の口部に装着される抽出キャップに関するものである。
【背景技術】
【０００２】
従来、例えば化粧剤や洗浄剤、或いは薬剤等の内容物を収容する容器においては、不使用時には容器を閉鎖したままにすることができる一方、使用時には簡単に開栓して意図した状態で内容物を抽出することができる、抽出キャップが装着されることが一般的である。
【０００３】
このような抽出キャップは、目的に応じて種々のものが提案されている。例えば特許文献１には、子どもが触れた場合でも簡単には開かない、とするチャイルドプルーフ機能を備えるキャップが示されている。ここで特許文献１のキャップは、キャップ本体と蓋体とをヒンジで連結したものであり、更に、キャップ本体にロック用凸部を設けるとともに、蓋体にはロック用凸部に係止されるロック用係止部を備えている。
【先行技術文献】
【特許文献】
【０００４】
【特許文献１】特開２０１２−１３１５３３号公報
【発明の概要】
【発明が解決しようとする課題】
【０００５】
ところで特許文献１に記載のキャップは、ロック用係止部がキャップ本体の外周面よりも飛び出しているため、子どもが不用意にキャップに触れると、ロック用係止部に指が引っ掛かってこれが持ち上げられ、ロック用凸部との係止が解かれてそのまま蓋体が開いてしまうおそれがある。このように、特許文献１に記載の如き従来のキャップにあっては、ロック用係止部が持ち上げられることがあると、ロックを解除する上向きの力によって蓋体も開いてしまうため、チャイルドプルーフ機能が有効に作用しないおそれがあった。
【０００６】
本発明はこのような点を解決することを課題とし、チャイルドプルーフ機能がより有効に発揮され、また開封方法を知る者には簡単に蓋体を開くことが可能な、新たな抽出キャップを提供することを目的とする。
【課題を解決するための手段】
【０００７】
本発明は、内容物を収容する容器の口部に取り付けられるとともに内容物の抽出口を有するキャップ本体と、
前記キャップ本体に着脱可能に装着され、装着時は前記抽出口を覆い隠す蓋体と、
リング状をなし、前記蓋体の外周壁を覆い隠す上位置と該外周壁が露出する下位置との間で前記キャップ本体に移動可能に設けられるスライド部材と、を備える抽出キャップであって、
前記スライド部材は、内側に向けて突出する突起と、内側に向けて該スライド部材を押圧することで該スライド部材を撓ませて該突起を外側に向けて移動させる押圧部とを備え、
前記突起は、前記キャップ本体に設けた係合部に係合して前記スライド部材を前記上位置において保持する一方、前記押圧部を押圧した際は該係合部から外れて該スライド部材の下方への移動を許容するものである抽出キャップである。
【０００８】
前記キャップ本体は、打栓によって前記容器に取り付けられる打栓タイプであることが好ましい。
【０００９】
前記キャップ本体は、前記突起の側方に位置し、前記スライド部材を上下動させる際に該突起をガイドする側壁を有することが好ましい。
【００１０】
前記押圧部は、対向配置で前記スライド部材に少なくとも一対設けられ、前記突起は、該押圧部が対向する向きと直交する向きにおいて対向配置で少なくとも一対設けられることが好ましい。
【００１１】
前記蓋体は、前記キャップ本体との間をつないで該蓋体を該キャップ本体に揺動可能に保持するヒンジと、前記外周壁の上端において外側に向けて突出し、前記上位置において前記スライド部材の周壁に揃う鍔部とを有することが好ましい。
【発明の効果】
【００１２】
本発明の抽出キャップは、蓋体の外周壁を覆い隠す上位置と、この外周壁が露出する下位置との間でキャップ本体に移動可能に設けられるスライド部材を備えていて、更にスライド部材は、内側に向けて突出する突起と、内側に向けてスライド部材を押圧することでこのスライド部材を撓ませて突起を外側に向けて移動させる押圧部とを備えている。そして突起は、キャップ本体に設けた係合部に係合してスライド部材を上位置において保持する一方、押圧部を押した際は係合部から外れてスライド部材の下方への移動を許容するものである。すなわち、押圧部を押すことによって、突起と係合部との係合を解除してスライド部材が移動可能状態になったとしても、蓋体を開く前にスライド部材を下方に動かさなければならないため、一連の動作で蓋体が開いてしまうことがない。従って、子どもが不用意に触れても蓋体が開いてしまうおそれは小さいうえ、開封方法を知る者にとっては、スライド部材を下方に移動させるだけで蓋体を開栓可能状態にすることができるため、蓋体を簡単に開くことができる。
【００１３】
ところでキャップ本体は、ねじによって容器に取り付けられるタイプもあるが、この場合、抽出キャップ全体を掴んで回転させると、ねじの係合が外れて容器から抽出キャップが外れてしまうおそれがある。このためキャップ本体は、打栓によって容器に取り付けられる打栓タイプが好ましく、この場合は、チャイルドプルーフ機能をより確実に発揮させることができる。
【００１４】
キャップ本体に、突起の側方に位置し、スライド部材を上下動させる際に突起をガイドする側壁を設ける場合は、スライド部材を安定して上下動させることができる。またこの場合、突起と側壁はスライド部材の回り止めとしても機能するため、移動の途中でスライド部材が回転することがない。
【００１５】
そして押圧部は、対向配置でスライド部材に少なくとも一対設けられ、突起は、押圧部が対向する向きと直交する向きにおいて対向配置で少なくとも一対設けられることが好ましい。すなわち、押圧部を押した際に移動量が大きくなる部位に突起を配置しているため、押圧部を押すことで突起と係合部との係合を確実に解除することができる。また突起が複数になることによって、スライド部材を上位置により確実に保持しておくことができる。
【００１６】
また蓋体は、ねじ止めによってキャップ本体に着脱可能に装着されるものでもよいが、ヒンジを介してキャップ本体につながるものであってもよい。この場合は、蓋体の外周壁の上端に、外側に向けて突出して上位置においてスライド部材の周壁に揃う鍔部を設けることが好ましい。これにより、上位置においては、スライド部材の周壁と蓋体の鍔部とが揃っているために蓋体を開くことができない一方で、下位置においては、蓋体の外周壁が露出して鍔部に指を掛けることができるため、鍔部が指掛かりとなって蓋体が開きやすくなる。
【図面の簡単な説明】
【００１７】
【図１】本発明に従う抽出キャップの一実施形態について、スライド部材が上位置にある状態を示す図であって、（ａ）は（ｂ）のＡ−Ａに沿う断面図であり、（ｂ）は容器に取り付けた状態での側面視の半断面図である。
【図２】図１に示す抽出キャップにおいて、押圧部を押した状態を示す、（ａ）は（ｂ）のＢ−Ｂに沿う断面図であり、（ｂ）は容器に取り付けた状態での側面視の半断面図である。
【図３】スライド部材を下位置に移動させた状態を示す、（ａ）は（ｂ）のＣ−Ｃに沿う断面図であり、（ｂ）は容器に取り付けた状態での側面視の半断面図である。
【図４】蓋体を開いた状態を示す側面図である。
【発明を実施するための形態】
【００１８】
以下、主に図１（ｂ）を参照しながら本発明に従う抽出キャップの一実施形態について説明する。なお、本明細書等における「上」、「下」は、図１（ｂ）に示すように、符号１０で示すキャップ本体が下方に位置し、符号２０で示す蓋体が上方に位置する状態での向きをいう。
【００１９】
本実施形態の抽出キャップは、図１において符号１０で示すキャップ本体と、符号２０で示す蓋体と、符号３０で示すスライド部材とで構成されている。また、符号４０は、抽出キャップを取り付ける容器を示している。
【００２０】
まず、容器４０について説明する。容器４０は、底部（不図示）から立ち上がる胴部４１と、胴部４１の上端に連結するとともに容器４０の中心軸Ｏに向かってやや上方に傾きながら延在する肩部４２と、肩部４２の内縁から上方に向けて立ち上がる円筒状の口部４３とを備えている。また口部４３の外周面には、中心軸Ｏから離れる向きに突出する突出部４４を備えている。また容器４０の内側には、内容物を収容可能な内部空間Ｍを備えている。
【００２１】
次にキャップ本体１０について説明する。キャップ本体１０は、口部４３の上方に位置してこれを覆う円板状の天壁１１を備えている。天壁１１の中央部には、天壁１１を貫いて内部空間Ｍに通じる抽出口１２が設けられている。また抽出口１２の縁部には、上方に向けて立ち上がる環状の抽出筒１３が設けられている。天壁１１の下面には、口部４３の内周面に液密に当接する筒状のキャップ本体シール壁１４と、口部４３の外側を取り囲んで突出部４４に係合する係合筒１５と、係合筒１５よりも大径になる環状壁１６が設けられている。なお、環状壁１６は、その一部が天壁１１の外縁よりも内側に位置するように凹んでいて、この部位における環状壁１６の外周面には、天壁１１の外縁との間で隙間Ｓを形成する爪状の係合部１７が設けられている。ここで、係合部１７の上面は水平方向に向けて延在しているが、その下面は、下方に向かうにつれて中心軸Ｏに近づく向きに傾斜している。また係合部１７を挟む周方向の両側には、上下方向に延在する側壁１８が設けられている。
【００２２】
蓋体２０は、抽出筒１３の上方に位置してこれを覆う円板状の頂壁２１を備えている。頂壁２１の下面には、抽出筒１３の外周面に液密に当接する環状の蓋体シール壁２２と、天壁１１の外縁に揃う位置に設けられる環状の外周壁２３とを備えている。ここで、頂壁２１における外縁は、外周壁２３よりも外側に突出していて、これにより鍔部２４を形成している。また蓋体２０は、環状壁１６と外周壁２３とをつなぐヒンジ２５と、ヒンジ２５の両側に設けられる弾性部２６とを備えている（図１（ａ）参照）。これにより蓋体２０を、キャップ本体１０に対して揺動させることができ、また開いた蓋体２０をその姿勢のまま維持することができる。
【００２３】
スライド部材３０は、リング状をなす周壁３１を備えている。本実施形態の周壁３１は、平面視において、ヒンジ２５と弾性部２６の外側に位置する部位、及び中心軸Ｏを挟んでこの部位と対向する部位は直線状に延在し、これらの部位を除いた部位は主に曲線状に延在している。また周壁３１の外面は、図１（ｂ）に示すように鍔部２４に揃う大きさに形成されている。そして周壁３１の内周面には、内側に向けて突出する突起３２が設けられている。本実施形態の突起３２は、中心軸Ｏを挟んで対向配置で一対設けられていて、側壁１８の内側に収まる幅で形成されている。また周壁３１は、２つの突起３２が配置される向きと直交する向きにおいて、一対の押圧部３３を備えている。周壁３１は弾性変形可能に形成されていて、図２に示すように２つの押圧部３３を内側に押すと、２つの突起３２を設けた部位を、それぞれ外側に移動させることができる。なお、本実施形態の押圧部３３は、周壁３１の外面から突出する複数の凸リブを備えていて、指で押す際に滑りにくくなっている。なお、図示は省略するが、この部位が指で押す部位であることを示す文字やマークなどを設けてもよい。
【００２４】
このような形態になる抽出キャップを容器４０に取り付けるにあたっては、蓋体２０を閉めた状態にした後に、スライド部材３０をキャップ本体１０の下方から挿入する。そして、突起３２が係合部１７を乗り越えて隙間Ｓに収まるまでスライド部材３０を持ち上げることで、スライド部材３０はキャップ本体１０に保持される。その後は、係合筒１５が口部４３に嵌まる位置で打栓を行えば、係合筒１５が口部４３の突出部４４に係合して、抽出キャップは容器４０に抜け止め保持される。
【００２５】
ここで、図１に示す状態（蓋体２０が上位置にある状態）では、蓋体２０の外周壁２３はスライド部材３０の周壁３１で覆い隠されており、また蓋体２０の鍔部２４は、スライド部材３０の周壁３１に揃っていて、これらの間は殆ど段差がない状態になっている。このため、幼児等が触れても、蓋体２０が不用意に開かれる不具合を防止することできる。なお、スライド部材３０は、突起３２がキャップ本体１０の係合部１７に係合しているため、上位置に保持されたままになっている。
【００２６】
図１の状態から蓋体２０を開くにあたっては、図２（ａ）に示すように、２つの押圧部３３を内側に押圧する。これにより、周壁３１が弾性変形して、２つの突起３２を設けた部位がそれぞれ外側に移動する。これにより突起３２と係合部１７との係合が外れるため、スライド部材３０を下位置に移動させることが可能になる。ここで突起３２は、その側方に位置する側壁１８の内側に収まっているため、スライド部材３０を下位置に移動させる際には、側壁１８が突起３２のガイドとして機能する。このため、スライド部材３０を安定して移動させることができる。また側壁１８と突起３２は、スライド部材３０の回り止めとしても機能するため、移動の途中でスライド部材３０が意図しない向きに回転してしまうことがない。
【００２７】
そして、図３に示すようにスライド部材３０を下位置に移動させると、蓋体２０の外周壁２３が露出する。これにより、外周壁２３に指を掛けて持ち上げれば、図４に示すように蓋体２０を開くことができる。ここで、図１に示す上位置では周壁３１と揃っていた鍔部２４は、図３に示す下位置では露出した外周壁２３との間に段差を形成するため、この鍔部２４を指掛かりにすることによって蓋体２０を簡単に開くことができる。そして蓋体２０を開いた後は、容器４０を傾けて、更に必要に応じて胴部４１を押圧することによって、内部空間Ｍに収容した内容物を抽出筒１３から抽出させることができる。なお、下位置に移動したスライド部材３０に対して、容器４０の肩部４２は抜け止めとして作用するため、スライド部材３０が抜け落ちてしまうことはない。
【００２８】
内容物を抽出した後は、蓋体２０を閉じてスライド部材３０を上位置に移動させる。ここで、係合部１７の下面は傾斜しているため、突起３２が係合部１７に押し当たった際は、突起３２を外側に誘導させるため、それ程大きな力を加えなくても、再び突起３２を係合部１７に係合させることができる。
【００２９】
本実施形態の抽出キャップは、係合部１７と突起３２との係合を解除してスライド部材３０を移動可能状態にしても、蓋体２０を開くにあたっては、蓋体２０を開く向きとは逆になる下方に向けてスライド部材３０を動かすように構成している。すなわち、一連の動作で蓋体２０が開いてしまうことがないため、高いチャイルドプルーフ機能が発揮される。また、子どもが不用意に触れても蓋体２０が開いてしまうおそれは小さいうえ、開封方法を知る者にとっては、スライド部材３０を下方に移動させるだけで蓋体２０を開栓可能状態にすることができるため、蓋体２０を簡単に開くことができる。更に、スライド部材３０を下方に移動させることで蓋体２０の外周壁２３が大きく露出し、蓋体２０が開栓可能状態であるか否かが視認しやすいため、使用後にスライド部材３０を上位置に移動し忘れる等の不具合を有効に防止することができる。
【００３０】
本発明に従う抽出キャップは、これまでに述べた実施形態に限定されるものではなく、特許請求の範囲に従う範疇で種々の変更を加えたものも含まれる。例えば、上述した実施形態では、キャップ本体と蓋体を一体につなぐヒンジを設け、蓋体２０をキャップ本体１０に揺動可能に保持する構成としたが、これに限定されるものではなく、例えばキャップ本体に雄ねじを設け、蓋体にはこれに適合する雌ねじを設けるようにしてもよい。この場合は、前述の実施形態における鍔部２４を取り除くとともに、周壁３１を上方に延長して、上位置に移動したスライド部材３０によって蓋体２０が周方向に完全に隠れるようにすることがより好ましい。
【符号の説明】
【００３１】
１０：キャップ本体
１１：天壁
１２：抽出口
１３：抽出筒
１４：キャップ本体シール壁
１５：係合筒
１６：環状壁
１７：係合部
１８：側壁
２０：蓋体
２１：頂壁
２２：蓋体シール壁
２３：外周壁
２４：鍔部
２５：ヒンジ
２６：弾性部
３０：スライド部材
３１：周壁
３２：突起
３３：押圧部
４０：容器
４１：胴部
４２：肩部
４３：口部
４４：突出部
Ｍ：内部空間
Ｏ：中心軸
Ｓ：隙間
【図１】
2018140781.tif 000003
【図２】
2018140781.tif 000004
【図３】
2018140781.tif 000005
【図４】
2018140781.tif 000006